(57)【要約】【課題】コネクタの小型化及び低コスト化に有利な制御機能付コネクタ装置を提供する。【解決手段】この制御機能付コネクタ装置１では、通信アドレス設定用の複数の接続部１４ａ〜１４ｄとグランド電位に設定された複数の電極部１５ａ〜１５ｄとを設け、設定すべき通信アドレスに応じて挿入孔２１ａ〜２１ｄに挿入部材２２を適宜挿入し、その挿入部材２２を介して各接続部１４ａ〜１４ｄと電極部１５ａ〜１５ｄとの間を電気的に接続することによりアドレス設定を行うようになっている。接続部１４ａ〜１４ｄ及び電極部１５ａ〜１５ｄは基板６に設けられ、挿入孔２１ａ〜２１ｄは基板６の下面側に着脱自在に備えられる基板カバー１０に設けられる。【選択図】図４
2005285460.tif 000002
【特許請求の範囲】
【請求項１】
外部配線と負荷とに接続され、前記外部配線を介して与えられる制御信号に基づいて前記負荷を制御する制御機能付コネクタ装置であって、
基板と、
前記基板に配設され、通信機能と、前記負荷を駆動する機能と、当該制御機能付コネクタ装置の通信アドレスの設定を受け付ける機能とを有する電子素子と、
前記基板上に設けられた通信アドレス設定用の少なくとも１つの接続部と、
前記基板上における前記接続部の周辺に設けられ、所定電位に設定された電極部と、
前記基板を収容するハウジングと、
を備え、
前記ハウジングには、前記各接続部ごとに対応して部材挿入用の挿入孔が設けられ、
少なくともその挿入方向下流側端面部が導電性とされた挿入部材が、設定すべき通信アドレスに応じて決定された前記挿入孔に挿入され、前記挿入部材の前記挿入方向下流側端面部が前記接続部と前記電極部とに接触されて導通されることにより、その接続部の電位レベルが変化し、その接続部の電位レベルの変化に基づいて前記電子素子による前記通信アドレスの設定が受け付けられることを特徴とする制御機能付コネクタ装置。
【請求項２】
外部配線と負荷とに接続され、前記外部配線を介して与えられる制御信号に基づいて前記負荷を制御する制御機能付コネクタ装置であって、
基板と、
前記基板に配設され、通信機能と、前記負荷を駆動する機能と、当該制御機能付コネクタ装置の通信アドレスの設定を受け付ける機能とを有する電子素子と、
前記基板上に設けられた通信アドレス設定用の少なくとも１つの接続部と、
前記基板上における前記接続部の周辺に設けられ、所定電位に設定された電極部と、
前記基板を収容するハウジングと、
を備え、
前記ハウジングには、前記各接続部ごとに対応して部材挿入用の挿入孔が設けられるとともに、
前記ハウジングの内面側には、前記挿入孔が設けられた部分を覆うように導体箔が配置され、
設定すべき通信アドレスに応じて決定された前記挿入孔に挿入部材が挿入され、前記挿入部材によって打ち抜かれた前記導体箔の部分が前記接続部と前記電極部とに接触されて導通されることにより、その接続部の電位レベルが変化し、その接続部の電位レベルの変化に基づいて前記電子素子による前記通信アドレスの設定が受け付けられることを特徴とする制御機能付コネクタ装置。
【請求項３】
請求項１に記載の制御機能付コネクタ装置において、
前記ハウジングの前記挿入孔が設けられた部分と、前記基板の前記接続部及び前記電極部が設けられた部分との間に、シート状の形態を有し、非圧縮状態ではその厚み方向及びその面に沿った方向に対して実質的に非導電性であり、厚み方向に圧力を受けて圧縮された状態ではその圧縮部分が前記厚み面方向に対して非導電性から導電性に変化するシート体が設けられ、
設定すべき通信アドレスに応じて決定された前記挿入孔に挿入部材が挿入され、前記挿入部材と前記基板との間で前記シート体が厚み方向に圧縮され、前記厚み方向に導電性となった前記シート体の圧縮部分及び前記挿入部材の前記挿入方向下流側端面部を介して前記接続部と前記電極部とが導通されることにより、その接続部の電位レベルが変化し、その接続部の電位レベルの変化に基づいて前記電子素子による前記通信アドレスの設定が受け付けられることを特徴とする制御機能付コネクタ装置。
【発明の詳細な説明】
【技術分野】
【０００１】
本発明は、制御機能付コネクタ装置に関する。
【背景技術】
【０００２】
本発明に関連する従来技術としては、制御装置と制御対象の複数の負荷装置とをケーブル接続し、複数の制御信号等を共通の電線を利用して伝送する構成において、各負荷装置に接続するコネクタの端子配置パターンを用いて各負荷装置の通信アドレスの設定を行う技術がある。すなわち、この技術では、コネクタに、通信用及び電源供給用等の正規の端子ピンの他に、グランド接続等がされたアドレス設定用の端子ピンを設け、このアドレス設定用の端子ピンによる負荷側の接続パターンの違いによりアドレス設定が行われるようになっている。
【０００３】
上述のような制御機能付コネクタ装置及び負荷装置は、例えば特許文献１に開示されている。
【０００４】
【特許文献１】特開２００３−１２７６４６号公報
【発明の開示】
【発明が解決しようとする課題】
【０００５】
しかしながら、上記の技術では、コネクタに設けた端子ピンにより負荷装置のアドレス設定を行うため、端子ピンの増加によるコネクタ等が大型化するとともに、またアドレス種別の数だけコネクタの種類を用意する必要があり、コネクタの品番増加等によりコスト面でも問題がある。
【０００６】
そこで、本発明の解決すべき課題は、コネクタの小型化及び低コスト化に有利な制御機能付コネクタ装置を提供することである。
【課題を解決するための手段】
【０００７】
上記の課題を解決するため、請求項１の発明では、外部配線と負荷とに接続され、前記外部配線を介して与えられる制御信号に基づいて前記負荷を制御する制御機能付コネクタ装置であって、基板と、前記基板に配設され、通信機能と、前記負荷を駆動する機能と、当該制御機能付コネクタ装置の通信アドレスの設定を受け付ける機能とを有する電子素子と、前記基板上に設けられた通信アドレス設定用の少なくとも１つの接続部と、前記基板上における前記接続部の周辺に設けられ、所定電位に設定された電極部と、前記基板を収容するハウジングとを備え、前記ハウジングには、前記各接続部ごとに対応して部材挿入用の挿入孔が設けられ、少なくともその挿入方向下流側端面部が導電性とされた挿入部材が、設定すべき通信アドレスに応じて決定された前記挿入孔に挿入され、前記挿入部材の前記挿入方向下流側端面部が前記接続部と前記電極部とに接触されて導通されることにより、その接続部の電位レベルが変化し、その接続部の電位レベルの変化に基づいて前記電子素子による前記通信アドレスの設定が受け付けられる。
【０００８】
また、請求項２の発明では、外部配線と負荷とに接続され、前記外部配線を介して与えられる制御信号に基づいて前記負荷を制御する制御機能付コネクタ装置であって、基板と、前記基板に配設され、通信機能と、前記負荷を駆動する機能と、当該制御機能付コネクタ装置の通信アドレスの設定を受け付ける機能とを有する電子素子と、前記基板上に設けられた通信アドレス設定用の少なくとも１つの接続部と、前記基板上における前記接続部の周辺に設けられ、所定電位に設定された電極部と、前記基板を収容するハウジングとを備え、前記ハウジングには、前記各接続部ごとに対応して部材挿入用の挿入孔が設けられるとともに、前記ハウジングの内面側には、前記挿入孔が設けられた部分を覆うように導体箔が配置され、設定すべき通信アドレスに応じて決定された前記挿入孔に挿入部材が挿入され、前記挿入部材によって打ち抜かれた前記導体箔の部分が前記接続部と前記電極部とに接触されて導通されることにより、その接続部の電位レベルが変化し、その接続部の電位レベルの変化に基づいて前記電子素子による前記通信アドレスの設定が受け付けられる。
【０００９】
また、請求項３の発明では、請求項１に記載の制御機能付コネクタ装置において、前記ハウジングの前記挿入孔が設けられた部分と、前記基板の前記接続部及び前記電極部が設けられた部分との間に、シート状の形態を有し、非圧縮状態ではその厚み方向及びその面に沿った方向に対して実質的に非導電性であり、厚み方向に圧力を受けて圧縮された状態ではその圧縮部分が前記厚み面方向に対して非導電性から導電性に変化するシート体が設けられ、設定すべき通信アドレスに応じて決定された前記挿入孔に挿入部材が挿入され、前記挿入部材と前記基板との間で前記シート体が厚み方向に圧縮され、前記厚み方向に導電性となった前記シート体の圧縮部分及び前記挿入部材の前記挿入方向下流側端面部を介して前記接続部と前記電極部とが導通されることにより、その接続部の電位レベルが変化し、その接続部の電位レベルの変化に基づいて前記電子素子による前記通信アドレスの設定が受け付けられる。
【発明の効果】
【００１０】
請求項１に記載の発明によれば、制御機能付コネクタ装置に、通信アドレス設定用の少なくとも１つの接続部と所定電位に設定された電極部とを設け、設定すべき通信アドレスに応じて挿入孔に挿入部材を適宜挿入し、その挿入部材を介して各接続部と電極部との間を電気的に接続することによりアドレス設定を行うため、従来のようなアドレス設定用の端子ピンを省略して、コネクタ装置の基本構成をアドレスの相違に依らずに共通化することができ、その結果、コネクタ装置の小型化及び低コスト化が図れる。
【００１１】
また、挿入孔への挿入部材の挿入によりアドレス設定を簡単に行うことができる。
【００１２】
請求項２に記載の発明によれば、制御機能付コネクタ装置に、通信アドレス設定用の少なくとも１つの接続部と所定電位に設定された電極部とを設け、設定すべき通信アドレスに応じて挿入孔に挿入部材を適宜挿入してハウジングの内面側に配置された導体箔を打ち抜き、その導体箔の打ち抜いた部分を各接続部と電極部とに導通させることによりアドレス設定を行うため、従来のようなアドレス設定用の端子ピンを省略して、コネクタ装置の基本構成をアドレスの相違に依らずに共通化することができ、その結果、コネクタ装置の小型化及び低コスト化が図れる。
【００１３】
また、挿入孔への挿入部材の挿入によりアドレス設定を簡単に行うことができる。
【００１４】
請求項３に記載の発明によれば、挿入孔に挿入した挿入部材によりシート体を部分的に圧縮して接続部と電極部との間を導通させるため、挿入部材の挿入方向下流側端部及びシート体の圧縮部分により接続部と電極部との間を確実に導通させることができる。
【発明を実施するための最良の形態】
【００１５】
＜第１実施形態＞
図１は、本発明の第１実施形態に係る制御機能付コネクタ装置（以下、単に「コネクタ装置」という）の構成を模試的に示す分解斜視図である。このコネクタ装置１は、図２に示すような制御システムに用いられる。この制御システムは、制御装置２と制御対象の複数の負荷装置３とを接続ケーブル４により接続して構成されている。コネクタ装置１は負荷装置３と接続ケーブル４との間に介装され、負荷装置３に設けられたコネクタ嵌合部３ａに嵌合されて電気的な接続及び機械的な固定が行われる。そして、各コネクタ装置１は、通信アドレスが設定され、制御装置２から接続ケーブル４を介して（共通の信号線４ｃを利用して）与えられる制御信号に基づいて負荷装置３を制御するようになっている。負荷装置３としては、例えば車載エアコンにおけるインストゥルメントパネル等に設置される各種作動部（例えば、吹出し部の風向き制御部）の駆動用のサーボモータ装置などが考えられる。接続ケーブル４は、複数（ここでは３つ）の樹脂被覆電線４ａ〜４ｃを備えて構成されている。例えば、電線４ａが電源線、電線４ｂがグランド線、電線４ｃが信号伝送用の信号線４ｃとなっている。
【００１６】
このようなコネクタ装置１は、図１に示すように、ＣＰＵ（電子素子）１１等が実装された基板６と、その基板６を収容するハウジング７とを備えて構成されている。ハウジング７は、ハウジング本体８と、そのハウジング本体８に装着される圧接カバー９と、基板カバー１０とを備えて構成されている。
【００１７】
基板６には、通信及び制御等を統括するＣＰＵ１１、接続ケーブル４を構成する電線４ａ〜４ｃの外被を切り裂いてその芯線部と電気的に接続（圧接）される複数（ここでは３つ）の圧接端子１２ａ〜１２ｃ、負荷装置３と電気的に接続される複数（ここでは２つ）の接続端子１３ａ，１３ｂ、アドレス設定用の複数（ここでは４つ）の接続部１４ａ〜１４ｄ（図３参照）、及び、グランド電位に設定された少なくとも１つ（ここでは４つ）の電極部１５ａ〜１５ｄ等が配設されている。
【００１８】
ハウジング本体８の上面側には、電線４ａ〜４ｃとの圧接を行うための圧接部１６が設けられ、その圧接部１６に圧接カバー９が装着されるようになっている。圧接部１６は、例えば電線４ａ〜４ｃが嵌まり込んで保持される３つの溝が設けられている。
【００１９】
ハウジング本体８の下面側には、図４に示すように開口部１７が設けられ、そお開口部１７に基板カバー１０が装着されるようになっている。
【００２０】
ＣＰＵ１１は、接続ケーブル４を介して制御装置２と通信を行う機能（通信機能）と、制御装置２から接続ケーブル４を介して与えられる制御信号に基づいて負荷装置３を駆動する機能と、このコネクタ装置１の通信アドレスの設定を接続部１４ａ〜１４ｄの電位状態に基づいて受け付ける機能とを有している。
【００２１】
接続部１４ａ〜１４ｄ及び電極部１５ａ〜１５ｄは、図３及び図４に示すように、基板６の下面側におけるハウジング本体８の開口部１７に面する部分に配設されている。接続部１４ａ〜１４ｄと電極部１５ａ〜１５ｄは一組ずつ対を成して所定間隔をあけて隣接配置されている。接続部１４ａ〜１４ｄは、プラスの所定電位が印加された状態で所定の配線を介してＣＰＵ１１と電気的に接続されている。電極部１５ａ〜１５ｄは、所定の配線を介してグランドに接続され、グランド電位に保持されている。本実施形態では、接続部１４ａ〜１４ｄ及び電極部１５ａ〜１５ｄは基板６を貫通して設けられたスルーホールによって構成されている。
【００２２】
基板カバー１０における接続部１４ａ〜１４ｄ及び電極部１５ａ〜１５ｄに対向する部分には、複数（ここでは４つ）の挿入孔２１ａ〜２１ｄが設けられている。この挿入孔２１ａ〜２１ｄは、アドレス設定用の挿入部材２２を挿入するためのものであり、それぞれ各組の接続部１４ａ〜１４ｄ及び電極部１５ａ〜１５ｄに対応している。
【００２３】
挿入部材２２は、樹脂製の本体部２２ａと、その本体部２２ａの上端部（挿入孔２１ａ〜２１ｄへの挿入方向下流側端部）に設けられる導体部２２ｂとを備えて構成されている。導体部２２ｂは、例えば金属等の導体膜などによって構成される。挿入部材２２の変形例として、挿入部材２２の全体を金属等の導電性材料により形成してもよい。
【００２４】
基板カバー１０をハウジング本体８に装着して、挿入部材２２をいずれかの挿入孔２１ａ〜２１ｄに挿入すると、図４及び図５に例示するように、挿入部材２２の上端部の導電部２２ｂが対応するいずれかの接続部１４ａ〜１４ｄ及び電極部１５ａ〜１５ｄに当接して導通し、これによってその接続部１４ａ〜１４ｄが挿入部材２２の導電部２２ｂを介して電極部１５ａ〜１５ｄ（グランド電位）と電気的に接続され、その接続部１４ａ〜１４ｄの電位がプラスの所定電位からグランド電位に変化する。なお、図４及び図５に示す例では、挿入孔２１ｂ，２１ｄに挿入部材２２が挿入されて、接続部１４ｂ，１４ｄが挿入部材２２の導電部２２ｂを介して電極部１５ｂ，１５ｄに電気的に接続されている。
【００２５】
図６及び図７は、このコネクタ装置１における挿入孔２１ａ〜２１ｄへの挿入部材２２の挿入の有無によるアドレス設定用の回路構成の変化を示す図である。図６に示す状態では、いずれの挿入孔２１ａ〜２１ｄにも挿入部材２２が挿入されておらず、図７に示す状態では、挿入孔２１ｂ，２１ｄに挿入部材２２が挿入されている。
【００２６】
各接続部１４ａ〜１４ｄには、プラスの所定値の電圧が印加されているため、図６に示すいずれの各挿入孔２１ａ〜２１ｄにも挿入部材２２が挿入されない状態では、各接続部１４ａ〜１４ｄの電位も前記所定値（ハイレベル）に保持されており、これによってＣＰＵ１１には、各接続部１４ａ〜１４ｄを介してハイレベルの信号がアドレス設定用として入力される。そして、例えば図７に示すように、挿入孔２１ｂ，２１ｄに導入部材２２が挿入され、挿入部材２２の導電部２２ｂを介して接続部１４ｂと電極部１５ｂとの間、及び接続部１４ｄと電極部１５ｄとの間が導通されると、接続部１４ｂ，１４ｄの電位がハイレベルである前記所定値からローレベルであるグランド電位に変化し、これによって、接続部１４ｂ，１４ｄを介してＣＰＵ１１にローレベルであるアドレス設定用の信号が入力される。
【００２７】
すなわち、各挿入孔２１ａ〜２１ｄへの挿入部材２２の挿入の有無により、各接続部１４ａ〜１４ｄを介してＣＰＵ１１に入力されるアドレス設定用の信号の信号レベルがハイ、ローに変化するようになっており、ＣＰＵ１１はこの各信号のハイ、ローの組み合わせパターンに基づいて通信アドレスの設定を行うようになっている。
【００２８】
以上のように、本実施形態によれば、コネクタ装置１に、通信アドレス設定用の複数の接続部１４ａ〜１４ｄとグランド電位に設定された複数の電極部１５ａ〜１５ｄとを設け、設定すべき通信アドレスに応じて挿入孔２１ａ〜２１ｄに挿入部材２２を適宜挿入し、その挿入部材２２を介して各接続部１４ａ〜１４ｄと電極部１５ａ〜１５ｄとの間を電気的に接続することによりアドレス設定を行うため、従来のようなアドレス設定用の端子ピンを省略して、コネクタ装置１の基本構成をアドレスの相違に依らずに共通化することができ、その結果、コネクタ装置１の小型化及び低コスト化が図れる。
【００２９】
また、挿入孔２１ａ〜２１ｄへの挿入部材２２の挿入によりアドレス設定を簡単に行うことができる。
【００３０】
＜第２実施形態＞
図８は、本発明の第２実施形態に係るコネクタ装置の要部構成を示す斜視図である。本実施形態に係るコネクタ装置１が上記第１実施形態に係るコネクタ装置１と実質的に異なっている点は、基板カバー１０に導体箔３１を設けた点及びそれに関連する点のみであり、互いに対応する部分には同一の参照符号を付して説明を省略する。
【００３１】
本実施形態に係るコネクタ装置１では、図８に示すように、基板カバー１０の内面側における挿入孔２１ａ〜２１ｄが設けられた部分を含む領域に金属箔等の導体箔３１が設けられ、この導体箔３１を用いて接続部１４ａ〜１４ｄ及び電極部１５ａ〜１５ｄ間の電気的な接続がなされるようになっている。これに関連して、本実施形態では、挿入部材２２は導電性を有さなくてよいため、挿入部材２２が樹脂等の非導電性材料によって形成されている。
【００３２】
そして、設定すべき通信アドレスに応じて挿入部材２２が挿入孔２１ａ〜２１ｄに挿入されると、図９及び図１０に示すように、基板カバー１０の内面側に設けられた導体箔３１の挿入孔２１ａ〜２１ｄ上に位置する部分３１ａが、挿入された挿入部材２２によって打ち抜かれて、対応する接続部１４ａ〜１４ｄ及び電極部１５ａ〜１５ｄに押し付けられ、その打ち抜かれた導体箔３１の部分３１ａによってその接続部１４ａ〜１４ｄ及び電極部１５ａ〜１５ｄ間が電気的に接続され、これによってアドレス設定が行われるようになっている。
【００３３】
このように、本実施形態においても上述の第１実施形態とほぼ同様な効果が得られる。
【００３４】
＜第３実施形態＞
図１１は、本発明の第３実施形態に係るコネクタ装置の要部構成を示す斜視図である。本実施形態に係るコネクタ装置１が上記第１実施形態に係るコネクタ装置１と実質的に異なっている点は、基板カバー１０と基板６との間に異方性導電シート（シート体）４１を設けた点及びそれに関連する点のみであり、互いに対応する部分には同一の参照符号を付して説明を省略する。
【００３５】
本実施形態に係るコネクタ装置１では、図１１に示すように、基板カバー１０の内面側における挿入孔２１ａ〜２１ｄが設けられた部分を含む領域に異方性導電シート４１が設けられ（例えば、貼着され、この異方性導電シート４１を用いて接続部１４ａ〜１４ｄ及び電極部１５ａ〜１５ｄ間の電気的な接続がなされるようになっている。なお、本実施形態では、異方性導電シート４１を基板カバー１０側に設けるようにしたが、基板６の下面側に設ける（例えば、貼着する）ようにしてもよい。なお、挿入部材２２は上記第１実施形態と同様なものが用いられる。
【００３６】
異方性導電シート４１は、その面に沿った方向に対しては、厚み方向への圧縮の有無にあまり影響されることなく非導電性となっている一方、その面に沿った方向に対しては厚み方向への圧縮の有無により導電性が大きく変化するようになっており、厚み方向に圧縮されるとその圧縮された部分（圧縮部分）の厚み方向に対する電気的特性が実質的に非導電性から導電性に変化するようになっている。
【００３７】
このため、設定すべき通信アドレスに応じて挿入部材２２が挿入孔２１ａ〜２１ｄに挿入されると、図１２及び図１３に示すように、基板カバー１０の内面側に設けられた異方性導電シート４１の挿入孔２１ａ〜２１ｄ上に位置する部分４１ａが、挿入された挿入部材２２と基板６の対応する接続部１４ａ〜１４ｄ及び電極部１５ａ〜１５ｄが設けられた部分との間に挟まれて厚み方向に圧縮されて、その厚み方向に対して導電性を有するようになる。そして、挿入部材２２の導電部２２ｂ及び厚み方向に導電性を有したその部分４１ａ（圧縮部分）によってその接続部１４ａ〜１４ｄ及び電極部１５ａ〜１５ｄ間が電気的に接続され、これによってアドレス設定が行われるようになっている。
【００３８】
ここで、異方性導電シート４１の具体例としは、例えば図１４に示すように、厚み方向に延びる細い導体線（例えば、金線等）４２がゴムシート４３に密に打ち込まれて構成されたものが用いられる。この図１４の異方性導電シート４１は、圧縮されない状態ではその厚み方向及び面に沿った方向に対して実質的に導電性を有さない構成となっている。そして、厚み方向に圧力を受けて圧縮されると、その圧縮部分４１ａにおいて導体線４２が折り曲げられ、これによって圧縮部分４１ａの上下表面における導体線４２と、挿入部材２２の導体部２２ｂ、接続部１４ａ〜１４ｄ及び電極部１５ａ〜１５ｄとの接触面積が増大し、導電部２２ｂと接続部１４ａ〜１４ｄ及び電極部１５ａ〜１５ｄとの間が導体線４２により導通され、接続部１４ａ〜１４ｄと電極部１５ａ〜１５ｄと間が導体部２２ｂ及び圧縮部分４１ａを介して導通される。
【００３９】
このように、本実施形態においても上述の第１実施形態とほぼ同様な効果が得られるとともに、挿入孔２１ａ〜２１ｄに挿入した挿入部材２２により異方性導電シート４１を部分的に圧縮して接続部１４ａ〜１４ｄと電極部１５ａ〜１５ｄとの間を導通させるため、挿入部材２２の導電部２２ｂ及び異方性導電シート４１の圧縮部分４１ａにより接続部１４ａ〜１４ｄと電極部１５ａ〜１５ｄとの間を確実に導通させることができる。
【図面の簡単な説明】
【００４０】
【図１】本発明の第１実施形態に係るコネクタ装置の構成を模試的に示す分解斜視図である。
【図２】図１のコネクタ装置の適用例を示すシステム構成図である。
【図３】図１のコネクタ装置に備えられる基板等の要部構成を示す平面図である。
【図４】図３の構成におけるＡ−Ａ線に沿った断面図である。
【図５】図３の構成におけるＢ−Ｂ線に沿った断面図である。
【図６】図１のコネクタ装置における挿入部材が挿入されない状態のアドレス設定用の回路構成を示す図である。
【図７】図１のコネクタ装置における挿入部材が挿入された状態のアドレス設定用の回路構成を示す図である。
【図８】本発明の第２実施形態に係るコネクタ装置の要部構成を示す斜視図である。
【図９】図８のコネクタ装置における図３のＡ−Ａ線に対応した要部断面図である。
【図１０】図８のコネクタ装置における図３のＢ−Ｂ線に対応した要部断面図である。
【図１１】本発明の第３実施形態に係るコネクタ装置の要部構成を示す斜視図である。
【図１２】図１１のコネクタ装置における図３のＡ−Ａ線に対応した要部断面図である。
【図１３】図１１のコネクタ装置における図３のＢ−Ｂ線に対応した要部断面図である。
【図１４】異方性導電シートの原理説明図である。
【符号の説明】
【００４１】
１  制御機能付コネクタ装置
２  制御装置
３  負荷装置
４  接続ケーブル
６  基板
７  ハウジング
８  ハウジング本体
９  圧接カバー
１０  基板カバー
１１  ＣＰＵ
１２ａ〜１２ｄ  圧接端子
１３ａ，１３ｂ  接続端子
１４ａ〜１４ｄ  接続部
１５ａ〜１５ｄ  電極部
２１ａ〜２１ｄ  挿入孔
２２  挿入部材
３１  導体箔
４１  異方性導電シート
【図１】
2005285460.tif 000003
【図２】
2005285460.tif 000004
【図３】
2005285460.tif 000005
【図４】
2005285460.tif 000006
【図５】
2005285460.tif 000007
【図６】
2005285460.tif 000008
【図７】
2005285460.tif 000009
【図８】
2005285460.tif 000010
【図９】
2005285460.tif 000011
【図１０】
2005285460.tif 000012
【図１１】
2005285460.tif 000013
【図１２】
2005285460.tif 000014
【図１３】
2005285460.tif 000015
【図１４】
2005285460.tif 000016